(57)【要約】  本発明は、一方向に長く形成され、底面が開放されて内側に反射空間を有するケース部と、ケース部の底面に形成され、ケース部内で反射及び拡散される光が放出されるカバー部と、カバー部と前記ケース部の内側から光を放出してケース部の内側で反射及び拡散される複数のＬＥＤとを含む蛍光灯型ＬＥＤ照明装置を提供する。
2016506601.tif 000002
【特許請求の範囲】
【請求項１】
一方向に長く形成され、底面が開放されて内側に反射空間を有するケース部と、
前記ケース部の底面に形成され、前記ケース部内で反射及び拡散される光が放出されるカバー部と、
前記カバー部と前記ケース部の内側から光を放出して前記ケース部の内側で反射及び拡散される複数のＬＥＤと、
を含むことを特徴とする蛍光灯型ＬＥＤ照明装置。
【請求項２】
前記ケース部は、
長手方向に沿って両側が折り曲げられ、折り曲げられた内角が鈍角であることを特徴とする請求項１に記載の蛍光灯型ＬＥＤ照明装置。
【請求項３】
前記ＬＥＤは、
前記カバー部の上部側に接し、あるいは離隔された位置に固定される基板に実装されることを特徴とする請求項１に記載の蛍光灯型ＬＥＤ照明装置。
【請求項４】
前記ＬＥＤは、
前記カバー部の上部に接して形成された金属電極パターンで実装されて電源を供給することを特徴とする請求項１に記載の蛍光灯型ＬＥＤ照明装置。
【請求項５】
前記ケース部の両端は、
蛍光灯器具に結合されるようにＧ１３ソケット部が結合されることを特徴とする請求項１に記載の蛍光灯型ＬＥＤ照明装置。
【請求項６】
前記Ｇ１３ソケット部の少なくとも一側内部には直流電源を供給する電源供給部が実装されることを特徴とする請求項５に記載の蛍光灯型ＬＥＤ照明装置。
【請求項７】
前記電源供給部が前記Ｇ１３ソケット部の一側のみに位置する場合、他のＧ１３のソケット部に重さ錘が実装されることを特徴とする請求項５に記載の蛍光灯型ＬＥＤ照明装置。
【請求項８】
前記ＧＢ１３ソケット部は、蛍光灯器具に結合される端子部を含み、前記端子部は回転可能であることを特徴とする請求項５に記載の蛍光灯型ＬＥＤ照明装置。
【請求項９】
前記ケース部の上部の周囲には光を放出する光放出口が備えられることを特徴とする請求項１に記載の蛍光灯型ＬＥＤ照明装置。
【請求項１０】
前記ケース部は、
接続部により天井に固定設置され、前記接続部を通じて天井を照明することを特徴とする請求項１に記載の蛍光灯型ＬＥＤ照明装置。
【請求項１１】
前記接続部と連通される貫通孔が前記ケース部に形成され、前記ＬＥＤの光が前記接続部を通じて放出されることを特徴とする請求項１０に記載の蛍光灯型ＬＥＤ照明装置。
【請求項１２】
前記接続部の内側に第１のＬＥＤを実装する第１の基板が備えられ、第１のＬＥＤの光が前記天井に放出されることを特徴とする請求項１０に記載の蛍光灯型ＬＥＤ照明装置。
【請求項１３】
前記ケース部の上部両端部が複数個で結合される一対の支持フレームをさらに含み、
前記ケース部が容易に脱着されるように一対の支持フレームの外側に回転結合部が取り付けられること特徴とする請求項１乃至４のいずれか１項に記載の蛍光灯型ＬＥＤ照明装置。
【請求項１４】
前記回転結合部は、
前記支持フレームの側面に設けられた回動軸部に位置が固定された状態で回転され、前記ケース部の両端部に設けられた固定突起部が嵌合により結合される切断ホームを有することを特徴とする請求項１３に記載の蛍光灯型ＬＥＤ照明装置。
【請求項１５】
前記支持フレームは、電源の供給のためのソケット部が設けられ、
前記支持フレームの上部には前記基板に連結されるプラグが突出されており、前記支持フレームと前記ケース部の結合により前記基板に電源が供給されることを特徴とする請求項１４に記載の蛍光灯型ＬＥＤ照明装置。
【発明の詳細な説明】
【技術分野】
【０００１】
本発明はＬＥＤ照明装置に関するもので、より詳細には拡張性と汎用性を向上させる蛍光灯型ＬＥＤ照明装置に関する。
【背景技術】
【０００２】
一般に、ＬＥＤを用いる室内照明装置は、一般的なソケット型電球を代替するための電球型の照明装置と蛍光灯を代替するための面照明装置に大きく区分できる。
【０００３】
これらのうち、面照明装置は、一定面積の拡散板をカバーとして使用することが大部分であり、その例として、下記の文献１に開示されている。この文献１において、代表図である図４には、上向に光を放出するように複数のＬＥＤが配置された基板が実装され、その基板の上部側に少なくとも１層以上の拡散層を含め、それによって複数のＬＥＤから放出される光が拡散されて特定サイズの面全体で一定の照度で照明可能にする構成が開示されている。
【０００４】
上記した構成は、一般的な面照明装置としてよく使用される方法であって、拡散板は、光が一部から集中的に放出されることを防止し、それによって眩しさの発生を防ぐ効果があるが、光損失が大きくて光効率が低下するという問題があった。
【０００５】
このような理由で、十分な照度の面光源を提供するために必要以上に多くの数のＬＥＤを使用しなければならないため、ＬＥＤ照明の低電力消耗という長所が弱くなり、ＬＥＤから放出される熱を処理することが容易でなく、その熱によりＬＥＤの寿命が短縮されるという問題点があった。
【０００６】
さらに、文献１の図４に示す面発光装置の場合、同一の出力のＬＥＤチップを使用するという仮定下に、従来の照明装置が４０Ｗ級から２０Ｗ級へ設計が変更される場合、ケースの設計は、必ず変更しなければならないという問題点を有する。
【０００７】
この場合、２０ＷのＬＥＤが４０ＷのＬＥＤの数の半分のみを使用する場合、ＬＥＤ間の間隔は、そのＬＥＤの数が減少して一層広くなる。それによって、ＬＥＤ光放出面で直接下方の拡散板には明るい領域と暗い領域が発生し、出射面の照明不均一が発生するようになる。
【０００８】
このような照明不均一を解消するために、ＬＥＤと拡散板との間の距離をさらに広く調整する設計変更をし、あるいは実際に発光部は、半分のサイズで製作し、他の半分部分はリフレクタで解決しなければならない問題点があった。
【０００９】
さらに、従来の蛍光灯型ＬＥＤ照明装置は、発光面が底面に向け、その発光面で光放出角度が限定されているため、その照明装置の周辺天井には周辺に比べて暗いダークゾーン（ｄａｒｋ  ｚｏｎｅ）が存在するようになる。
【００１０】
このようなダークゾーンの形成は、実際室内の明るさに比べて暗い感じを与え、照度の不均衡によって整理されずに散漫な室内雰囲気となってしまうという問題点があった。
【先行技術文献】
【特許文献】
【００１１】
【特許文献１】韓国特許第１０−０９９８９８０号（２０１０年１２月１日付けで登録）
【発明の概要】
【発明が解決しようとする課題】
【００１２】
したがって、本発明は上記した従来技術の問題点に鑑みてなされたものであって、その目的は、簡単な構造を使用しても面発光を遂行する蛍光灯型ＬＥＤ照明装置を提供することにある。
【００１３】
本発明の他の目的は、電源供給部と一体又は分離が可能な形態で既存の蛍光灯器具に適用される蛍光灯型ＬＥＤ照明装置を提供することにある。
【００１４】
また、本発明の目的は、埋込み型又はペンダント型のような灯器具と天井との間の距離に関係なく適用され、特に天井にダークゾーンの形成を防止する蛍光灯型ＬＥＤ照明装置を提供することにある。
【００１５】
さらに、本発明の目的は、現在使用している室内の蛍光灯器具を容易に代替可能であることで、汎用性に優れ、設置位置の要求照度を満たすように優れた拡張性を有するＬＥＤ照明装置を提供することにある。
【課題を解決するための手段】
【００１６】
上記のような目的を達成するために、本発明の一態様において、蛍光灯型ＬＥＤ照明装置が提供される。その装置は、一方向に長く形成され、底面が開放されて内側に反射空間を有するケース部と、ケース部の底面に形成され、ケース部内で反射及び拡散される光が放出されるカバー部と、カバー部と前記ケース部の内側から光を放出してケース部の内側で反射及び拡散される複数のＬＥＤとを含む。
【発明の効果】
【００１７】
本発明は、ＬＥＤの光が室内の天井側に向けて放出され、放出されたＬＥＤの光を反射及び拡散させる反射空間を提供して底面部を通じて放出させることによって、面発光のための別途の拡散板を使用しないので、蛍光灯型のＬＥＤ照明装置の光効率を向上させる効果がある。
【００１８】
また、本発明は、内部に直流電源供給部を備え、既存の灯器具上に直流電源供給部に置いて予め設置された灯器具を変更しなくても、低電力でかつ均一な照明が可能な照明装置を提供できる効果がある。
【００１９】
なお、本発明は、既存の埋込み型蛍光灯又はペンダント型蛍光灯器具に容易に適用でき、汎用性を向上させることができる。さらに、光の一部を天井側に放出するように誘導して天井にダークゾーンが発生することを防止できる効果もある。
【００２０】
さらに、本発明は、樹脂材の蛍光灯型ＬＥＤ照明装置を提供できるため、ガラス材である既存の蛍光灯に比べて、保管性、運搬性を高め、破損による人体損傷を防止することができる効果がある。
【図面の簡単な説明】
【００２１】
【図１】本発明の望ましい実施形態による蛍光灯型ＬＥＤ照明装置を示す斜視図である。
【図２】図１におけるＡ−Ａに沿った断面構成図である。
【図３】図１の底面図である。
【図４】本発明の他の実施形態による蛍光灯型ＬＥＤ照明装置を示す断面構成図である。
【図５】本発明の他の実施形態による蛍光灯型ＬＥＤ照明装置を示す断面構成図である。
【図６】本発明の他の実施形態による蛍光灯型ＬＥＤ照明装置の他の実施形態の斜視図である。
【図７】図６におけるＡ−Ａに沿った断面図である。
【図８】本発明の他の実施形態による蛍光灯型ＬＥＤ照明装置を示す断面構成図である。
【図９】本発明の他の実施形態による蛍光灯型ＬＥＤ照明装置の設置状態図である。
【図１０】図９に示した本発明の一部斜視図である。
【図１１】図１０におけるＡ−Ａに沿った断面図である。
【図１２】本発明の他の実施形態による蛍光灯型ＬＥＤ照明装置の一部を示す構成図である。
【図１３】本発明の他の実施形態による蛍光灯型ＬＥＤ照明装置の設置状態を示す断面構成図である。
【図１４】本発明の他の実施形態による蛍光灯型ＬＥＤ照明装置の一部を示す構成図である。
【図１５】本発明の他の実施形態の一部を示す断面構成図である。
【図１６】図１５の外形斜視図である。
【図１７】本発明の他の実施形態による蛍光灯型ＬＥＤ照明装置の設置状態を示す図である。
【図１８】図１７におけるＡ−Ａに沿った断面構成図である。
【図１９】図１７に示した一部側面の動作を説明するための図である。
【発明を実施するための形態】
【００２２】
以下、本発明の望ましい実施形態による蛍光灯型ＬＥＤ照明装置に対して添付の図面を参照して詳細に説明する。
【００２３】
図１は、本発明の望ましい実施形態による蛍光灯型ＬＥＤ照明装置を示す斜視図であり、図２は、図１でＡ−Ａ方向の断面構成図であり、図３は図１の底面図である。
【００２４】
図１乃至図３を各々参照すれば、本発明の望ましい実施形態による蛍光灯型ＬＥＤ照明装置は、内側に光の反射空間を提供し、一方向に長いケース部２０、ケース部２０の底面に結合されるカバー部３０、及びカバー部３０の上部にケース部２０の長手方向に沿って長く装置され、複数のＬＥＤ１１が実装された基板１０を含む。
【００２５】
ケース部２０は、中央部が平坦であり、長手方向の両側面が下方に折り曲げられた側面反射面２１を有し、幅方向にも仕上げ反射面２２が備えられる。仕上げ反射面２２は、ケース部２０と一体でもよく、あるいは接合又は結合されてもよい。
【００２６】
以下、上記のように構成される本発明の望ましい実施形態による蛍光灯型ＬＥＤ照明装置の構成と作用について、より詳細に説明する。
【００２７】
まず、ケース部２０は、下部が開放された箱型の構造を有し、特に従来の蛍光灯を代替するために一方向に長い形態を有する。
【００２８】
ケース部２０は、光を反射させる樹脂材、又は樹脂材の内側に反射シートが付着され得る。ケース部２０の加工前に反射シートを付着した後に折り曲げ加工して、側面反射面２１を形成することによって、反射シートの付着をより容易にする。
【００２９】
ケース部２０の底面には透明なカバー部３０が接合又は結合され得る。カバー１０は、光を拡散させずに投光するものを使用できる。このように、透明なカバー１０を使用しても光がケース部２０が提供する反射空間内で反射された後、カバー部３０を通じて放出されることによって、眩しさ現状が顕著に減少する面発光がなされる。
【００３０】
したがって、光効率を高めることができ、より低電力のＬＥＤを使用しながらも従来と同一の照度の照明を提供するようになる。
【００３１】
カバー１０は、完全な投光性を有し、若干の拡散が可能な程度の拡散板を使用することができる。
【００３２】
カバー１０の上面、すなわちケース部２０の内側上部に向かう面には基板１０が取り付けられる。基板１０は、上部に複数のＬＥＤ１１が実装されており、カバー１０の長手方向に沿って長く形成される。
【００３３】
特に、図３に示すように、基板１０は、カバー部３０の中央部に形成されてカバー部３０を幅方向に両分することを確認できる。これは、２個の蛍光灯が並べて設置されるような形状であり、従来の蛍光灯の形状とも類似するように見えて視覚的に敏感なユーザーにも特別な視覚的拒否感なしに満足させ得る。
【００３４】
ＬＥＤ１１の光は、設置状態で底面に向けて光を放出せず、天井側である上部に向かって光を放出する。このように放出された光は、ケース部２０の内側で多様に反射及び拡散されてカバー部３０を通じて面発光がなされる。
【００３５】
このとき、ケース部２０の側面反射面２１と上部の平坦な面がなされる内角θは９０度より大きく、１８０度より小さい鈍角であり、特にラウンド型でなくはっきりと折り曲げられた折り曲げ溝が現れるようにする。
【００３６】
これは、ラウンド型である場合、その内側で光が集中されて明暗が発生する可能性があるためである。
【００３７】
このように本発明は、ＬＥＤ１１の光を空間で拡散させた後に、カバー部３０を通じて面発光させて照明を提供することによって、拡散のために光効率を使用しないので、光効率を向上させるようになる。
【００３８】
図４は、本発明の他の実施形態による蛍光灯型ＬＥＤ照明装置の断面を示す構成図である。
【００３９】
図４を参照すると、基板１０をカバー部３０の上部に接するように設置せずに、カバー部３０とケース部２０との内側間の空間に位置させる。このような基板１０の配置は、基板１０とカバー部３０との間の空間でも光の拡散が起きて、基板１０によりカバー部３０が分割される形状でなく、カバー部３０の全体を通じて均一な照度の光が放出可能にする。
【００４０】
他の実施形態では、図５のように、基板１０をＬＥＤ１１の光放出面がカバー部３０に向かうように配置してもよい。
【００４１】
図６は、本発明の他の実施形態による蛍光灯型ＬＥＤ照明装置の他の実施形態を示す斜視図であり、図７は、図６におけるＡ−Ａに沿った断面図である。
【００４２】
図６を参照すると、本発明の他の実施形態による蛍光灯型ＬＥＤ照明装置は、従来の蛍光灯器具に適用されるようにＧ１３ソケット部４０が上記の図１に示した本発明の構造の両端に嵌合して結合される。
【００４３】
Ｇ１３ソケット部４０の突出された端子部４１を通じて直流電源を受信し、基板１０に供給するために仕上げ反射面２２の一部に貫通孔を形成して端子部４１に接続される電線が基板１０に連結され得る。
【００４４】
Ｇ１３ソケット部４０の内面は、反射がなされる樹脂材を使用することが望ましい。
【００４５】
図６と図７は、直流電源を供給する電源供給部が外部に位置する場合に適用可能な構造である。
【００４６】
図８は、本発明の他の実施形態による蛍光灯型ＬＥＤ照明装置を示す断面構成図である。
【００４７】
図８を参照すると、図７に示した構造で、Ｇ１３ソケット部４０の内側には電源供給部５０が内蔵され、従来の交流電源を使用する蛍光灯器具に図８の構造を直接結合して端子部４１を通じて交流電源を受信し、電源供給部５０で直流電源へ変換して基板１０に供給させる。
【００４８】
このような構成は、従来の灯器具をそのまま使用できるため、汎用性を向上させることができる。
【００４９】
また、図８では、ケース部２０の一側のみを示すが、両側ともに電源供給部５０が内蔵され、基板１０の両側で電源を供給することできる。これは、基板１０の長さが長い形態、すなわち本発明のケース部２０の長さが所定長さ以上長くなる場合には電圧降下が発生することを考慮し、電圧降下を補償する構成である。
【００５０】
一側のＧ１３ソケット部４０のみに電源供給部５０が位置する場合には、重さ分配を考慮して反対側のＧ１３ソケット部４０内には均衡錘を設置することが望ましい。
【００５１】
図９は、本発明の他の実施形態による蛍光灯型ＬＥＤ照明装置の設置状態を示し、図１０は、図９に示した本発明の一部斜視図であり、図１１は、図１０におけるＡ−Ａに沿った断面図である。
【００５２】
図９乃至図１１を各々参照すると、本発明の他の実施形態による蛍光灯型照明装置は天井に埋め込んで設置されず、天井１から高さ調整が可能な昇降部６０によりケース部２０が固定され、昇降部６０により上下に移動が可能な構造である。
【００５３】
このような構造は、テーブルの上部側、机の上部側などの必要に応じて照明の高さ調節が必要な場合に適用され、昇降部６０は、手動式であるか、あるいは電動式であり、その構造又は高さ調節方法により本発明が制限されるものではない。
【００５４】
上記のような構造で、ケース部２０は、ＬＥＤ１１の光がケース部２０の内側で反射及び拡散される過程で天井１に放出される光放出口２３をさらに含むことができる。
【００５５】
光放出口２３は、透明であるか、あるいは光を一部反射し、一部のみを透過する半透明材質であり得る。
【００５６】
光放出口２３は、図面のように個別的に分離された構成であって、ケース部２０の周囲に沿って線形で備えられる。
【００５７】
このように光放出口２３を通じて天井１に光が放出されて天井１にはダークゾーンが発生されないようになる。
【００５８】
図１２は、本発明の他の実施形態の一部構成図である。
【００５９】
図１２を参照すると、本発明の他の実施形態による蛍光灯型ＬＥＤ照明装置は、天井１から離隔された位置に固定設置され、このとき、天井１とケース部２０との間には連結管７０が形成される。連結管７０は、光を透過又は拡散させる管であり、内側には別途の基板７１とその基板７１に実装されるＬＥＤ７２が備えられる。
ＬＥＤ７２の光は、連結管７０を透過し、あるいは連結管７０で拡散されて面発光されて天井１を照らし、それによって天井１にダークゾーンが発生することを防止する。
【００６０】
図１３は、本発明の他の実施形態による蛍光灯型ＬＥＤ照明装置の設置状態を示す断面構成図である。
【００６１】
図１３を参照すると、本発明の他の実施形態による蛍光灯型ＬＥＤ照明装置は、ケース部２０が天井１に連結管７０を通じて接続される構成は、上記した図１２の実施形態と同様である。
【００６２】
しかしながら、貫通孔２４は、ケース部２０と連結管７０が接続される部分でケース部２０に形成され、ケース部２０で反射及び拡散されるＬＥＤ１１の光が連結管７０の内側に反射されることによって、光を透過又は拡散させて放出する連結管７０を通じて外部に放出される。
【００６３】
すなわち、図１２のように別のＬＥＤ７２を使用しなくても連結管７０を通じて光を放出して天井１にダークゾーンが発生することを防止できる。
【００６４】
このように本発明は、多様な実施形態を有し、照明の目的と必要に従って、多様に変更実施が可能になる。
【００６５】
図１４は、本発明の他の実施形態による蛍光灯型ＬＥＤ照明装置の一部を示す構成図である。
【００６６】
図１４を参照すると、本発明の他の実施形態による蛍光灯型ＬＥＤ照明装置は、カバー部３０の上部に一対の金属電極パターン１３を形成し、その金属電極パターン１３の上部にＬＥＤ１１を実装させる。
【００６７】
金属電極パターン１３は、樹脂材であるカバー部３０の上部に直接形成する低温工程で形成できるものであり、その工程方法により本発明が制限されるものではない。金属電極パターン１３は、ペーストの印刷、レーザー加工、スパッタリングのような方法で形成することができる。
【００６８】
金属電極パターン１３の形成により基板１０を使用せず、樹脂材であるカバー部３０を基板のような役割を実行可能にし、構成部品の数を減少させてコストを節減できる。
【００６９】
また、金属電極パターン１３の形状を希望する形状に形成できるので、多様な文様の演出が可能になる。例えば、金属電極パターン１３を伝統窓戸文様で加工する場合、特色のある照明を提供して室内雰囲気の多様な演出が可能になる。
【００７０】
このような金属電極パターン１３は、上記した本発明のすべての実施形態に適用され得る。
【００７１】
また、金属電極パターン１３は、ＩＴＯのように透明な電極であり、このとき、外部では点形状のＬＥＤ１１のみが表示されるか、あるいは光の回折により小型のＬＥＤ１１が出光面上に現れずに、完全な面発光が可能なように実現できる。
【００７２】
公知のように、ＬＥＤ１１は、多様なカラーと同一のカラーで色感を調整して色温度を可変できるものであり、より多様なカラーと色温度を有する照明を容易に提供でき、多様な室内雰囲気の演出が可能になる。
【００７３】
図１５は、上記したＧ１３ソケット部４０の他の実施形態を示す断面構成図であり、図１６は、図１５の一部を示す外形構成図である。
【００７４】
図１５及び図１６の各々を参照すれば、Ｇ１３ソケット部４０は、その側面の内側に固定される回転支持部４２、この回転支持部４２に一端が回転可能に固定され、他端に端子部４１が固定されている状態でＧ１３ソケット部４０の側面の外側に突出される内側回転部４３、及びこの内側回転部４３の外側全体又は一部に締結され、側面部に突起が設けられて回転を容易にする外側回転部４４を含んで構成される。
【００７５】
このような構成により、端子部４１は、所定の角度範囲内で回転が可能であるため、従来の蛍光灯照明装置に容易に結合及び分離できる。
【００７６】
上記の構成は、一つの実施形態であり、従来の蛍光灯灯器具に結合が容易なように端子部４１を回転させる構造であれば、その構造に関係なく適用できる。
【００７７】
図１７は、本発明の他の実施形態による蛍光灯型ＬＥＤ照明装置の設置状態を示し、図１８は、図１７におけるＡ−Ａに沿った断面図であり、図１９は、図１７の一部側面の動作を説明する。
【００７８】
図１７乃至図１９を各々参照すると、本発明の他の実施形態による蛍光灯型ＬＥＤ照明装置１００は、底面にソケット部２１０を備える一対の支持フレーム２００の両端底面に複数個が固定設置される。すなわち、蛍光灯型ＬＥＤ照明装置では、上記した実施形態のＧ１３ソケット部４０を使用せずに、異なる方式で複数の蛍光灯型ＬＥＤ照明装置１００のケース部２０を固定設置して電源を供給するように構成される。
【００７９】
このとき、各蛍光灯型ＬＥＤ照明装置１００は、容易な交替のために、一対の支持フレーム２００の外側の側面には回動軸部４１０を中心として回転しつつ、その両端に各々設けられた固定突起部４２０に結合されて蛍光灯型ＬＥＤ照明装置１００が容易に着脱可能な状態で固定する回転固定部４００を含んで構成される。
【００８０】
回転固定部４００は、板状構造であり、回動軸部４１によりその位置が固定された状態で回転でき、その回転方向に切断された溝が設置されて固定突起部４２０がその溝に挿入されることにより、支持フレーム２００に蛍光灯型ＬＥＤ照明装置１００のケース部２０が結合固定される。
【００８１】
蛍光灯型ＬＥＤ照明装置１００の支持フレーム２００と接する部分は、突出されたプラグ１１０を含み、プラグ１１０は、支持フレーム２００に形成されたソケット部２１０に挿入して電源を受信し、このプラグ１１０には電線が連結されて基板１０に電源を供給する。
【００８２】
ソケット部２１０は、プラグ１１０が容易に離脱されず、安定した電源の供給が可能なようにプラグ１１０の側面に弾性復元力を有する形状で構成することが望ましい。
【００８３】
また、図１９に示すように、回転固定部４００によって本発明による蛍光灯型ＬＥＤ照明装置１００が容易に脱着されることを示す。回転固定部４００により複数の蛍光灯型ＬＥＤ照明装置１００を必要に応じて支持フレーム２００に固定して使用目的に合う照度の照明装置を提供することにより、損傷された蛍光灯型ＬＥＤ照明装置１００を容易に交替して使用可能になる。
【００８４】
説明されない参照番号３００は、一対の支持フレーム２００の上部の一部に接続して固定する固定フレームを表す。固定フレーム３００は、天井やその他の位置に固定フレーム３００を設置できるワイヤーが提供され、図面には省略したが、外部の交流電源を受信して直流電源に変換して一対の支持フレーム２００のうち少なくとも一つに設けられた基板２２０を通じてソケット部２１０に電源を供給する電源供給部が備えられる。
【００８５】
このような構成により、本発明は、脱着が容易であり、交替が必要な蛍光灯型ＬＥＤ照明装置１００を一つの単位で交替が可能であり、維持保守及び管理費用を低減することができる長所がある。
【００８６】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００８７】
１０  基板
１１  ＬＥＤ
１３  金属電極パターン
２０  ケース部
２４  貫通孔
４０  Ｇ１３ソケット部
４１  端子部
４３  内側回転部
４４  外側回転部
７０  連結管
１００  蛍光灯型ＬＥＤ照明装置
１１０  プラグ
２００  支持フレーム
２１０  ソケット部
３００  固定フレーム
４００  回転固定部
【図１】
2016506601.tif 000003
【図２】
2016506601.tif 000004
【図３】
2016506601.tif 000005
【図４】
2016506601.tif 000006
【図５】
2016506601.tif 000007
【図６】
2016506601.tif 000008
【図７】
2016506601.tif 000009
【図８】
2016506601.tif 000010
【図９】
2016506601.tif 000011
【図１０】
2016506601.tif 000012
【図１１】
2016506601.tif 000013
【図１２】
2016506601.tif 000014
【図１３】
2016506601.tif 000015
【図１４】
2016506601.tif 000016
【図１５】
2016506601.tif 000017
【図１６】
2016506601.tif 000018
【図１７】
2016506601.tif 000019
【図１８】
2016506601.tif 000020
【図１９】
2016506601.tif 000021
【手続補正書】
【提出日】平成27年6月29日(2015.6.29)
【手続補正１】
【補正対象書類名】明細書
【補正対象項目名】００２９
【補正方法】変更
【補正の内容】
【００２９】
ケース部２０の底面には透明なカバー部３０が接合又は結合され得る。カバー３０は、光を拡散させずに投光するものを使用できる。このように、透明なカバー３０を使用しても光がケース部２０が提供する反射空間内で反射された後、カバー部３０を通じて放出されることによって、眩しさ現状が顕著に減少する面発光がなされる。
【手続補正２】
【補正対象書類名】明細書
【補正対象項目名】００３１
【補正方法】変更
【補正の内容】
【００３１】
カバー３０は、完全な投光性を有し、若干の拡散が可能な程度の拡散板を使用することができる。
【手続補正３】
【補正対象書類名】明細書
【補正対象項目名】００３２
【補正方法】変更
【補正の内容】
【００３２】
カバー３０の上面、すなわちケース部２０の内側上部に向かう面には基板１０が取り付けられる。基板１０は、上部に複数のＬＥＤ１１が実装されており、カバー３０の長手方向に沿って長く形成される。
【手続補正４】
【補正対象書類名】明細書
【補正対象項目名】００７６
【補正方法】変更
【補正の内容】
【００７６】
上記の構成は、一つの実施形態であり、従来の蛍光灯灯器具に結合が容易なように端子部４１を回転させる構造であれば、Ｇ１３ソケット部４０にその構造を適用できる。
【国際調査報告】
2016506601.tif 000022
2016506601.tif 000023
2016506601.tif 000024
2016506601.tif 000025